(57)【要約】【課題】動画撮影を行なっているユーザ自身の意志を反映した不要なデータを削除することで動画撮影時に必要な記録媒体の空き容量を確保する。【解決手段】動画を撮影する撮影レンズ光学系12、ＣＣＤ１３を含む撮影系と、撮影系で得た動画データを含むデータを記録するメモリカード29と、撮影系で撮影してメモリカード29に記録する過程の動画を表示する表示部26と、動画撮影時に、メモリカード29の空き容量が所定値以下となったことを判断し、空き容量が所定値以下となったと判断した際にメモリカード29に記録されているデータを択一的に選択し、表示部26で削除候補として表示させ、削除候補のデータを適宜切換えながら表示させた上で、キー入力部27で削除候補のデータを指示するキー操作がなされると、指示されたデータをメモリカード29より削除する制御部22とを備える。【選択図】      図１
2008228072.tif 000002
【特許請求の範囲】
【請求項１】
動画を撮影する撮影手段と、
この撮影手段で得た動画データを含むデータを記録手段に記録させる記録制御手段と、
この記録制御手段による上記記録手段への上記データの記録中に、上記記録手段に記録されている所望のデータを使用者に選択させる選択手段と、
この選択手段で選択されたデータを上記記録手段より削除させる削除手段と
を備えたことを特徴とする動画記録装置。
【請求項２】
上記記録制御手段による上記記録手段への上記データの記録中に、上記記録手段の空き容量が所定値以下となったことを判断する判断手段と、
この判断手段で上記記録手段の空き容量が所定値以下となったと判断した際に、その旨を使用者に報知する報知手段と
をさらに備えたことを特徴とする請求項１記載の動画記録装置。
【請求項３】
画像を表示する表示手段と、
上記記録制御手段による上記記録手段への上記データの記録中に上記選択手段で画像を選択させるために、上記記録手段に記録されているデータを上記表示手段で削除候補として表示させる表示制御手段と、
この表示制御手段で削除候補として表示されるデータを切換える切換手段と
をさらに備え、
上記選択手段は、上記切換手段で切換えて表示させた削除候補を選択させる
ことを特徴とする請求項１または２記載の動画記録装置。
【請求項４】
上記表示手段は、上記撮影手段で撮影して上記記録手段に記録する過程の動画を表示可能であり、
上記表示制御手段は、上記記録制御手段による上記記録手段への上記データの記録中に上記選択手段で画像を選択させるために、上記記録手段に記録されているデータを上記表示手段で削除候補として表示させると共に上記記録する過程の画像を上記表示手段で表示させる
ことを特徴とする請求項３記載の動画記録装置。
【請求項５】
上記表示制御手段は、削除候補のデータと共に、そのデータを削除すると延長される動画データの残撮影可能時間を表示することを特徴とする請求項３または４記載の動画記録装置。
【請求項６】
上記切換手段は、上記記録手段に記録されている複数のデータ中から所定の優先順位に従って削除候補となるデータを切換えることを特徴とする請求項３記載の動画記録装置。
【請求項７】
上記切換手段は、上記記録手段に記録されている複数のデータ中から現在記録中である動画データの記録済み部分である削除候補となるデータを切換えることを特徴とする請求項３記載の動画記録装置。
【請求項８】
上記表示制御手段は、現在記録中である動画データの記録済み部分から当該動画データを構成する個々の静止画を表示させ、
上記切換手段は、動画データを構成する個々の静止画単位で表示されるデータを切換え、
上記選択手段は、削除範囲開始位置の静止画データと削除範囲終了位置の静止画データとを選択させ、
上記削除手段は、現在記録中である動画データの記録済み部分から上記選択手段で選択された削除範囲開始位置の静止画データと削除範囲終了位置の静止画データで示される範囲の動画データを削除し、削除した前後の動画データを連結して１つの動画データとして再設定する
ことを特徴とする請求項７記載の動画記録装置。
【請求項９】
上記表示制御手段は、上記記録手段に記録されているデータを上記表示手段で削除候補として表示させる際の表示形態を変更可能としたことを特徴とする請求項３記載の動画記録装置。
【請求項１０】
上記切換手段は、上記記録手段に記録されているデータを上記表示手段で削除候補として表示させる際の切換順序を変更可能としたことを特徴とする請求項３記載の動画記録装置。
【請求項１１】
上記切換手段は、上記記録手段に記録されているデータを上記表示手段で削除候補として表示させる際の切換順序を予め設定された複数の切換順序の中から選択することにより変更可能としたことを特徴とする請求項１０記載の動画記録装置。
【請求項１２】
上記選択手段は、上記記録手段に記録されているデータを削除候補として複数選択可能であることを特徴とする請求項３記載の動画記録装置。
【請求項１３】
動画を撮影する撮影部、この撮影部で得た動画データを含むデータを記録する記録部を備えた動画記録装置に内蔵されたコンピュータが実行するプログラムであって、
上記データの記録中に、上記記録部に記録されている所望のデータを使用者に選択させる選択ステップと、
この選択ステップで選択されたデータを上記記録部より削除させる削除ステップと
をコンピュータに実行させることを特徴とするプログラム。
【発明の詳細な説明】
【技術分野】
【０００１】
本発明は、容量が制限された記録媒体に撮影で得た動画ファイルを随時記録する各種カメラに好適な動画記録装置及びプログラムに関する。
【背景技術】
【０００２】
従来、動画の記録中であっても、記録媒体の容量が足りなくなると、優先順位の低い画像、例えばタイムスタンプの古い画像を自動的に選択して削除することで、新規に撮影している動画の記録容量を確保するようにした技術があった。（例えば、特許文献１）
【特許文献１】特開２００６−１４６８１２号公報
【発明の開示】
【発明が解決しようとする課題】
【０００３】
しかしながら、上記特許文献１に記載された技術は、優先順位が低いとされる画像を、例えばタイムスタンプの古さから装置側が判断して自動的に削除してしまうために、ユーザの都合や撮影されている内容等を考慮しておらず、ときにはユーザにとって重要と思われる画像を誤って削除してしまうことも多分にあり得る。
【０００４】
本発明は上記のような実情に鑑みてなされたもので、その目的とするところは、ユーザの意志を反映した不要なデータを削除することで動画撮影時に必要な記録媒体の空き容量を確保することが可能な動画記録装置及びプログラムを提供することにある。
【課題を解決するための手段】
【０００５】
請求項１記載の発明は、動画を撮影する撮影手段と、この撮影手段で得た動画データを含むデータを記録手段に記録させる記録制御手段と、この記録制御手段による上記記録手段への上記データの記録中に、上記記録手段に記録されている所望のデータを使用者に選択させる選択手段と、この選択手段で選択されたデータを上記記録手段より削除させる削除手段とを備えたことを特徴とする。
【０００６】
請求項２記載の発明は、上記請求項１記載の発明において、上記記録制御手段による上記記録手段への上記データの記録中に、上記記録手段の空き容量が所定値以下となったことを判断する判断手段と、この判断手段で上記記録手段の空き容量が所定値以下となったと判断した際に、その旨を使用者に報知する報知手段とをさらに備えたことを特徴とする。
【０００７】
請求項３記載の発明は、上記請求項１または２記載の発明において、画像を表示する表示手段と、上記記録制御手段による上記記録手段への上記データの記録中に上記選択手段で画像を選択させるために、上記記録手段に記録されているデータを上記表示手段で削除候補として表示させる表示制御手段と、この表示制御手段で削除候補として表示されるデータを切換える切換手段とをさらに備え、上記選択手段は、上記切換手段で切換えて表示させた削除候補を選択させることを特徴とする。
【０００８】
請求項４記載の発明は、上記請求項３記載の発明において、上記表示手段は、上記撮影手段で撮影して上記記録手段に記録する過程の動画を表示可能であり、上記表示制御手段は、上記記録制御手段による上記記録手段への上記データの記録中に上記選択手段で画像を選択させるために、上記記録手段に記録されているデータを上記表示手段で削除候補として表示させると共に上記記録する過程の画像を上記表示手段で表示させることを特徴とする。
【０００９】
請求項５記載の発明は、上記請求項３または４記載の発明において、上記表示制御手段は、削除候補のデータと共に、そのデータを削除すると延長される動画データの残撮影可能時間を表示することを特徴とする。
【００１０】
請求項６記載の発明は、上記請求項３記載の発明において、上記切換手段は、上記記録手段に記録されている複数のデータ中から所定の優先順位に従って削除候補となるデータを切換えることを特徴とする。
【００１１】
請求項７記載の発明は、上記請求項３記載の発明において、上記切換手段は、上記記録手段に記録されている複数のデータ中から現在記録中である動画データの記録済み部分である削除候補となるデータを切換えることを特徴とする。
【００１２】
請求項８記載の発明は、上記請求項７記載の発明において、上記表示制御手段は、現在記録中である動画データの記録済み部分から当該動画データを構成する個々の静止画を表示させ、上記切換手段は、動画データを構成する個々の静止画単位で表示されるデータを切換え、上記選択手段は、削除範囲開始位置の静止画データと削除範囲終了位置の静止画データとを選択させ、上記削除手段は、現在記録中である動画データの記録済み部分から上記選択手段で選択された削除範囲開始位置の静止画データと削除範囲終了位置の静止画データで示される範囲の動画データを削除し、削除した前後の動画データを連結して１つの動画データとして再設定することを特徴とする。
【００１３】
請求項９記載の発明は、上記請求項３記載の発明において、上記表示制御手段は、上記記録手段に記録されているデータを上記表示手段で削除候補として表示させる際の表示形態を変更可能としたことを特徴とする。
【００１４】
請求項１０記載の発明は、上記請求項３記載の発明において、上記切換手段は、上記記録手段に記録されているデータを上記表示手段で削除候補として表示させる際の切換順序を変更可能としたことを特徴とする。
【００１５】
請求項１１記載の発明は、上記請求項１０際の発明において、上記切換手段は、上記記録手段に記録されているデータを上記表示手段で削除候補として表示させる際の切換順序を予め設定された複数の切換順序の中から選択することにより変更可能としたことを特徴とする。
【００１６】
請求項１２記載の発明は、上記請求項３記載の発明において、上記選択手段は、上記記録手段に記録されているデータを削除候補として複数選択可能であることを特徴とする。
【００１７】
請求項１３記載の発明は、動画を撮影する撮影部、この撮影部で得た動画データを含むデータを記録する記録部を備えた動画記録装置に内蔵されたコンピュータが実行するプログラムであって、上記データの記録中に、上記記録部に記録されている所望のデータを使用者に選択させる選択ステップと、この選択ステップで選択されたデータを上記記録部より削除させる削除ステップとをコンピュータに実行させることを特徴とする。
【発明の効果】
【００１８】
本発明によれば、動画撮影を行なっているユーザ自身の意志を反映した不要なデータを削除することで動画撮影時に必要な記録媒体の空き容量を確保することが可能となる。
【発明を実施するための最良の形態】
【００１９】
以下本発明をデジタルカメラに適用した場合の実施の一形態について図面を参照して説明する。  
図１は、同実施の形態に係るデジタルカメラ１０全体の電子回路の概念構成を示すものである。  
図中、撮影モードでのモニタリング状態においては、モータ（Ｍ）１１の駆動により撮影レンズ光学系１２中の一部のレンズ、具体的にはズームレンズ及びフォーカスレンズの位置が適宜移動される。この撮影レンズ光学系１２の撮影光軸後方の結像位置に、図示しないメカニカルシャッタを介して、固体撮像素子であるＣＣＤ１３が配置される。
【００２０】
ＣＣＤ１３は、タイミング発生器（ＴＧ）１４、ＣＣＤドライバ１５によって走査駆動され、一定周期毎に結像した光像に対応する光電変換出力を１画面分出力する。
【００２１】
この光電変換出力は、ＡＧＣ／ＳＨ（Ａｕｔｏ  Ｇａｉｎ  Ｃｏｎｔｒｏｌ／Ｓａｍｐｌｅ  Ｈｏｌｄ）回路１６において、アナログ値の信号の状態でＲＧＢの各原色成分毎にその時点に設定されているＩＳＯ感度に応じて自動ゲイン調整された後にサンプルホールドされ、Ａ／Ｄ変換器１７に送られる。
【００２２】
Ａ／Ｄ変換器１７では、アナログの画像データをデジタルデータに変換し、カラープロセス回路１８へ出力する。
【００２３】
カラープロセス回路１８は、デジタルの画像データに対して画素補間処理及びγ補正処理を含むカラープロセス処理を行ない、マトリックス変換によりデジタル値の輝度色差系の画像データＹＵＶを生成した後にＤＭＡ（Ｄｉｒｅｃｔ  Ｍｅｍｏｒｙ  Ａｃｃｅｓｓ）コントローラ１９に出力する。
【００２４】
ＤＭＡコントローラ１９は、カラープロセス回路１８の出力する画像データＹＵＶを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００２５】
制御部２２は、ＣＰＵと、ワークメモリとして使用される主記憶メモリ等から構成されるもので、後述する再生動作を含む動作プログラムやデータ等を固定的に記憶した不揮発性メモリ２３から必要なプログラム等を読出し、該主記憶メモリに適宜必要なプログラムやデータを一時的に展開して書込みながら、このデジタルカメラ１０全体の制御動作を司る。
【００２６】
しかして制御部２２は、上記画像データのＤＲＡＭ２１へのＤＭＡ転送終了後に、この画像データをＤＲＡＭインタフェース２０を介してＤＲＡＭ２１より読出し、表示コントローラ２４を介してＶＲＡＭ２５に書込む。
【００２７】
表示コントローラ２４は、上記画像データをＶＲＡＭ２５より定期的に読出して表示部２６に出力する。
【００２８】
この表示部２６は、デジタルカメラ１０の筐体背面に配設された、バックライト付きの対角３インチ程度のサイズを有するカラー液晶パネルとその駆動回路とで構成される。この表示部２６は、撮影モード時には電子ファインダとして機能し、表示コントローラ２４からの画像データ等に基づいた表示を行なうことで、その時点で表示コントローラ２４から取込んでいる画像等をリアルタイムにモニタ表示する。一方で表示部２６は、再生モード時には選択した画像等を再生表示する。
【００２９】
このように表示部２６にその時点での被写体の画像をモニタ画像としてリアルタイムに表示している、所謂スルー画像の表示状態で、静止画撮影を行ないたいタイミングでキー入力部２７の一部を構成するシャッタキーを操作すると、キー入力部２７からトリガ信号が発生される。
【００３０】
制御部２２は、このトリガ信号に応じてその時点でＣＣＤ１３から取込んでいる１画面分の輝度及び色差信号のＤＲＡＭ２１へのＤＭＡ転送を取り止め、あらためて適正な露出条件に従ったシャッタ速度で図示しないメカニカルシャッタ及び上記ＣＣＤ１３を駆動して１画面分の輝度及び色差信号を得てＤＲＡＭ２１へ転送し、その後にこの経路を停止し、記録の状態に遷移する。
【００３１】
この記録の状態では、制御部２２がＤＲＡＭ２１に書込まれている１フレーム分の画像データＹＵＶをＤＲＡＭインタフェース２０を介してＹ，Ｕ，Ｖの各コンポーネント毎に縦８画素×横８画素の基本ブロックと呼称される単位で読出して画像処理部２８に書込む。この画像処理部２８では、画像データを所定の画像フォーマット、例えばＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）に従ったＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等のデータ圧縮処理により符号化する。
【００３２】
そして、得た符号データを１画像分のデータファイルとして該画像処理部２８から読出し、このデジタルカメラ１０に着脱自在に装着される記録媒体であるメモリカード２９に書込む。
【００３３】
そして、１フレーム分の輝度及び色差信号の圧縮処理とメモリカード２９への全圧縮データの書込み終了に伴なって、制御部２２はＣＣＤ１３からＤＲＡＭ２１への経路を再び起動する。
【００３４】
また、上記制御部２２にはさらに、上述したキー入力部２７と、音声処理部３０、フラッシュ駆動部３１、及びＵＳＢインタフェース３２が接続されている。
【００３５】
キー入力部２７は、上記シャッタキーの他に、電源キー、ズームキー、撮影モードキー、再生モードキー、カーソルキー、セットキー、メニューキー、マクロキー、及びフラッシュキー等を有するもので、それらの操作に伴うキー入力信号は直接制御部２２へ送信される。
【００３６】
音声処理部３０は、ＰＣＭ音源等の音源回路を備え、音声の録音時にはこのデジタルカメラ１０の筐体前面に配設されたマイクロホン部３３より入力された音声信号をデジタル化し、所定のデータファイル形式、例えばＭＰ３（Ｍｏｖｉｎｇ  Ｐｉｃｔｕｒｅ  ｃｏｄｉｎｇ  Ｅｘｐｅｒｔｓ  Ｇｒｏｕｐ−１  ａｕｄｉｏ  ｌａｙｅｒ  ３）規格にしたがってデータ圧縮して音声データファイルを作成し、上記メモリカード２９へ送出する。
【００３７】
一方、音声処理部３０は、音声の再生時にメモリカード２９から読出されてきた音声データファイルの圧縮を解いてアナログ化し、上記表示部２６と同じくデジタルカメラ１０の背面側に設けられるスピーカ部３４を駆動して、拡声放音させる。
【００３８】
フラッシュ駆動部３１は、静止画像撮影時に図示しないフラッシュ駆動用の大容量コンデンサを充電した上で、制御部２２からの制御に基づいてキセノン放電管等で構成されるフラッシュ発光部３５を撮影タイミングに同期して閃光駆動させる。
【００３９】
しかるに、撮影モード時に静止画像ではなく動画像の撮影が選択されている場合には、１回目のシャッタキーが操作された時点で、上述した静止画データを取得して画像処理部２８でデータ圧縮し、メモリカード２９へ記憶するという一連の動作を適宜フレームレート、例えば３０［フレーム／秒］で連続して実行するものとして開始し、適宜一定時間、例えば０．５［秒］毎に画像処理部２８がそれら複数の静止画データをＭＰＥＧ−４（Ｍｏｖｉｎｇ  Ｐｉｃｔｕｒｅ  ｃｏｄｉｎｇ  Ｅｘｐｅｒｔｓ  Ｇｒｏｕｐ−４）のデータファイルとしてデータ圧縮して設定し直し、あらためてメモリカード２９に記録し、最終的に該シャッタキーが２回目に操作されるか、またはメモリカード２９の空き容量がなくなった時点でそれら一連のデータファイルを１つのデータファイルとしてメモリカード２９上で統括設定する。
【００４０】
また、再生モード時には、制御部２２がメモリカード２９に記録されている画像データを選択的に読出し、画像処理部２８で撮影モード時にデータ圧縮した手順と全く逆の手順で圧縮されている画像データを伸長し、伸長した画像データをＤＲＡＭインタフェース２０を介しＤＲＡＭ２１に保持させた上で、このＤＲＡＭ２１の保持内容を表示コントローラ２４を介してＶＲＡＭ２５に記憶させ、このＶＲＡＭ２５より定期的に画像データを読出してビデオ信号を発生し、上記表示部２６で再生させる。
【００４１】
選択した画像データが静止画像ではなく動画像であった場合、選択した動画像ファイルを構成する個々の静止画データを必要により前後の静止画データを用いて再生した上で記録時と同様の所定のフレームレートで時間的に連続して実行し、最後の静止画データの再生を終了した時点で、次に再生の指示がなされるまで先頭に位置する静止画データのみを用いて再生表示する。
【００４２】
ＵＳＢインタフェース３２は、ＵＳＢ（Ｕｎｉｖｅｒｓａｌ  Ｓｅｒｉａｌ  Ｂｕｓ）規格に準じてＵＳＢ端子３６に接続されるパーソナルコンピュータやプリンタ装置等、各種外部機器との送受信を行なう。
【００４３】
次に上記実施の形態の動作について説明する。  
（第１の動作例）  
なお、このデジタルカメラ１０の記録媒体であるメモリカード２９にはすでに、動画データを含む複数のデータファイルが記録されているものとする。
【００４４】
図３は、動画データの撮影モード時に表示部２６で表示される画面を例示するものである。同図は、キー入力部２７のシャッタキー操作による動画撮影が開始される前の状態を示すもので、画面全体ではその時点で撮影レンズ光学系１２を介してＣＣＤ１３に入射されている画像がそのままスルー画像として表示される。
【００４５】
これと併せて画面上端中央には、動画データの撮影モードが設定されていることを示すムービーカメラマークＭＣが表示され、同画面上端の右側には、その時点で設定されている動画撮影内容（画像サイズと画質、フレームレート）でのメモリカード２９の空き容量に応じた記録可能時間Ｔ１、及び撮影使用としている動画データの録画経過時間Ｔ２を表示している。
【００４６】
この時点では、記録可能時間Ｔ１が「０：０３：５３（０時間３分５３秒）」であり、録画経過時間Ｔ２はまだ動画を開始していないために「０：００：００（０時間００分００秒）」となっている。
【００４７】
さらに、表示部２６の画面下端では、動画撮影をスタートさせるためにキー入力部２７のシャッタキーの操作を促すべく  
「スタート：シャッタキー」  
のようなガイドメッセージを表示している。この表示に従って１回目のシャッタキー操作を行なうことで、動画データの撮影が開始される。
【００４８】
図２は、動画データの撮影時に上述した如く連続して画像データを取得し、メモリカード２９へ記録する動作と平行して実施される、メモリカード２９の空き容量確保のための処理内容を示すもので、その動作制御はすべて撮影動作と同様に制御部２２が予め不揮発性メモリ２３に記憶されている動作プログラムを主記憶メモリに展開して実行する。
【００４９】
その処理当初に制御部２２は、記録媒体であるメモリカード２９の空き容量が少なくなったか否かを、空き容量が所定量、例えばその時点で設定されている動画撮影内容で３分間分以下となったか否かにより判断する（ステップＡ０１）。
【００５０】
ここでまだ空き容量が少なくなっていないと判断した場合には、次いで所定のキー、例えばメニューキーとカーソルキー及びセットキーの組合せ操作によりメモリカード２９に記録されているデータの削除モードに移行する指示がなされたかどうかを判断する（ステップＡ０２）。
【００５１】
削除モードへの移行指示がなされていないと判断した場合、再び上記ステップＡ０１からの処理に戻る。しかして、上記ステップＡ０１，Ａ０２の処理を繰返し実行することで、メモリカード２９の空き容量が少なくなるか、またはデータの削除モードに移行する指示がなされるのを待機する。
【００５２】
上記ステップＡ０１でメモリカード２９の空き容量が少なくなったと判断すると、表示部２６にて例えば  
「メモリ残量が少なくなりました  
撮影時間を延長する為に保存データを削除して下さい  
削除するデータを選択しますか？  
削除するデータを選択する：セットキー」  
のようなガイドメッセージを表示することでデータの削除に促した上で（ステップＡ０３）、そのメッセージ通りにキー操作が実行されたか否かにより、削除モードが選択されたか否かを判断する（ステップＡ０４）。
【００５３】
ここで削除モードが選択されない場合には、再び上記ステップＡ０１からの処理に戻る。
【００５４】
一方で、上記ステップＡ０４において削除モードを選択するキー操作がなされたと判断した場合、あるいは上記ステップＡ０２において空き容量が少なくなっていないもののユーザにより直接データ削除モードに移行する指示がなされたと判断した場合には、次いで所定の表示設定で削除するデータを選択するために、削除候補となるデータを対応する画像とそのデータを削除した場合に延長される動画モードでの撮影時間と共に表示する（ステップＡ０５）。
【００５５】
図４は、このとき表示部２６で表示される表示形態の一例を示すものである。同図では、撮影中の動画を示すスルー画像の画面を表示部２６の画面の右上側に多少縮小して表示すると共に、空いた画面左上側で削除候補となるデータの対応画像を表示し、その上下に他の削除候補の選択を促す矢印に代わる各三角形を表示する。
【００５６】
併せて、表示部２６の画面下部では図示する如く  
「どのファイルを削除しますか？  
ファイル名：ＣＩＭＧ０３０４．ａｖｉ  
サイズ：１０ＭＢ  
撮影時間：＋５：１０」  
のようなガイドメッセージを表示することで、画像が表示されているデータのファイル名（及び拡張子）とサイズ、及びそのデータを削除した場合に延長される撮影時間をユーザに知らせる。
【００５７】
なお、図４では、削除候補として動画データ（ＡＶＩファイル）が選択されており、その時間的に連続した一連の画像データの先頭に位置する記録画像がそのデータを代表するものとして表示されていることを示す。
【００５８】
このような表示状態から、表示形式を変更する指示がなされたか否か（ステップＡ０６）、表示順序を変更する指示がなされたか否か（ステップＡ０７）、別の削除候補を選択するための指示がなされたか否か（ステップＡ０８）、あるいはその時点で表示されている削除候補の削除を選択する指示がなされたか否か（ステップＡ０９）を順次判断し、いずれも該当しなければ再び上記ステップＡ０５からの処理に戻って、同様の処理を繰返し、いずれかの指示がなされるのを待機する。
【００５９】
上記ステップＡ０６で表示形式を変更する指示がなされたと判断した場合、直接上記ステップＡ０５に戻り、所定の表示設定に基づき、例えば上記図４に示したような表示形式から、動画撮影を行なっているスルー画像中の一部に削除候補となるデータに対応した画像を嵌め込んで表示するような、所謂ピクチャ・イン・ピクチャの状態となるように表示形式を変更設定した上で、削除候補が選択指示されるのを待機する。
【００６０】
このように表示形式をユーザが任意に変更可能とすることで、ユーザの好みに合致したレイアウトで削除候補となるデータを表示させることができ、動画の撮影途中で不要なデータを削除する際の作業性を高めることができる。
【００６１】
また、上記ステップＡ０７で表示順序を変更する指示がなされたと判断した場合、直接上記ステップＡ０５に戻り、所定の表示設定に基づき、例えばそれまでがデータのタイムスタンプにより古い順序で削除候補を選択するべく表示していたのであれば、データの容量が大きい順序で削除候補を選択するべく表示するように変更するなど、削除候補の選択に対する順序の基準を変更するように設定した上で、削除候補が選択指示されるのを待機する。
【００６２】
ここで、タイムスタンプの古いデータから順に表示して選択可能とした場合には、ユーザが削除候補のデータを選択するのに要する手間が少なくなる可能性が高く、より迅速にデータを削除して動画の撮影時間を延長する作業を効率的に実行できる。
【００６３】
一方で、データ容量の大きいデータから順に表示して選択可能とした場合にも、同じくユーザが削除候補のデータを選択するのに要する手間が少なくなる可能性が高く、より迅速にデータを削除して動画の撮影時間を延長する作業を効率的に実行できる。
【００６４】
また、上記したタイムスタンプの古い順、データ容量の大きい順の双方の要素を組合せ、よりデータが古く、且つデータ量が大きいものを先に選択して削除候補とする、というように、データの古さと大きさという２つの要素により評価、重み付けを行なってその総合的な評価値から削除候補となるデータの表示順序を決定するようにしても良い。
【００６５】
こうすることで、ユーザが削除候補のデータを選択するのに要する手間が少なくなる可能性が非常に高くなり、より短時間のうちに不要なデータを削除して動画の撮影時間を延長する作業を効率的に実行でき、本来の動画データの撮影に集中できるようになる。
【００６６】
また、上記ステップＡ０８で別の削除候補を選択するための指示、具体的にはキー入力部２７のカーソルキー（「↑」キーまたは「↓」キー）操作がなされたと判断した場合には、直接上記ステップＡ０５に戻り、所定の表示設定に基づき、そのキー操作に従ってその時点で選択されている表示順序に応じた次の削除候補のデータに対応する画像を表示するべく設定した上で、削除候補が選択指示されるのを待機する。
【００６７】
そして、上記ステップＡ０９でその時点で表示されている削除候補の削除を選択する指示がなされたと判断すると、次いで他のデータの削除も引き続き行なうか否かを、例えば表示部２６にて  
「さらに他のデータも選択しますか？」  
のようなガイドメッセージと共に表示した上で（ステップＡ１０）、そのメッセージに対してさらに他のデータも削除する旨のキー操作がなされたか否かにより判断する（ステップＡ１１）。
【００６８】
ここで、さらに他のデータも削除するべく、対応するキー操作がなされた場合には、再び上記ステップＡ０５からの処理に戻り、まだ削除候補として選択されていない他のデータを対象としてそのいずれかを選択するための処理を実行する。
【００６９】
また、削除候補となるデータを１つ、または複数選択した上で、さらなる削除候補の選択を行なわないとのキー操作がなされ、ステップＡ１１でこれを判断すると、削除対象としたことを確認するべく、その時点で選択したデータを表示部２６において一覧表示し、さらに削除を実行するキー操作がなされるか否かにより、削除が確認されたか否かを判断する（ステップＡ１３）。  
ここで、削除をキャンセルする旨のキー操作がなされた場合には、選択したデータの削除を保留して、再び上記ステップＡ０５からの処理に戻る。
【００７０】
しかして、上記ステップＡ１３でデータの削除を確認するキー操作がなされたと判断すると、その時点で選択している削除候補のデータを上記メモリカード２９から一括して削除設定した上で（ステップＡ１４）、再び上記ステップＡ０１からの処理に戻る。
【００７１】
図５は、こうして不要なデータの削除を行なうことにより、動画データの撮影途中で撮影可能な時間が延長された場合の画面を例示するものである。
【００７２】
ここでは、上記図４で削除候補として表示されていた動画データ「ＣＩＭＧ０３０４．ａｖｉ」の削除を実行したことで「５分１０秒」分だけ動画撮影可能な時間が延長され、上記図４の状態から１４秒が経過した、録画経過時間Ｔ２が「００：０１：０９（０時間１分０９秒）」時点の画面を示すものである。
【００７３】
このとき記録可能時間Ｔ１は「００：０７：５４（０時間７分５４秒）」（＝「２分５８秒」＋「５分１０秒」−「１４秒」）となっており、削除した動画データ分だけ録画経過時間Ｔ２が延長されていることがわかる。
【００７４】
このように、動画撮影を行なっているユーザ自身の意志を反映して任意の不要なデータを選択した上で削除を実行することで、動画撮影途中であっても記録媒体であるメモリカード２９に必要な空き容量を確保することが可能となる。
【００７５】
なお、上記実施の形態では、削除対象のデータの画像とファイル名のみならず、そのデータを削除することで延長される動画データの残撮影可能時間を表示するものとした。
【００７６】
これにより、データの削除で延長できる記録可能時間を直接把握することができ、無駄に記録済みのデータを削除してしまい、あるいは記録済みのデータを削除してもまだなお記録媒体の空き容量が足りない、などといった事態になるのを未然に防止し、必要な容量分だけの空き容量を記録媒体に作成することができる。
【００７７】
また、削除対象のデータを選択するに当たっては、メモリカード２９に記録されている複数のデータ中から所定の優先順位に従って削除候補となるデータを選択するものとしたので、動画撮影の途中で不要なデータを削除する際に必要なキー操作数を減少し、すみやかに削除を実行できる。
【００７８】
この場合、複数のデータ中から削除候補となるデータを選択する所定の優先順位として、複数の表示順序を予め用意し、ユーザがそれらの中から１つを変更して選択することが可能としたので、ユーザの好みに応じて削除候補のデータを選択するのに要する手間が少なくなる可能性が高く、より迅速にデータを削除して動画の撮影時間を延長する作業を効率的に実行できる。
【００７９】
また、上記実施の形態では、メモリカード２９に記録されている複数のデータを削除候補として選択可能としたため、例えば不要ではあるが容量自体は小さいデータを複数選択するなど、ユーザの意図を反映して動画データの撮影に必要な空き容量を確保することができる。
【００８０】
（第２の動作例）  
なお、このデジタルカメラ１０の記録媒体であるメモリカード２９にはすでに、動画データを含む複数のデータファイルが記録されているものとする。
【００８１】
図３は、動画データの撮影モード時に表示部２６で表示される画面を例示するものである。同図は、キー入力部２７のシャッタキー操作による動画撮影が開始される前の状態を示すもので、画面全体ではその時点で撮影レンズ光学系１２を介してＣＣＤ１３に入射されている画像がそのままスルー画像として表示される。
【００８２】
これと併せて画面上端中央には、動画データの撮影モードが設定されていることを示すムービーカメラマークＭＣが表示され、同画面上端の右側には、その時点で設定されている動画撮影内容（画像サイズと画質、フレームレート）でのメモリカード２９の空き容量に応じた記録可能時間Ｔ１、及び撮影使用としている動画データの録画経過時間Ｔ２を表示している。
【００８３】
この時点では、記録可能時間Ｔ１が「０：０３：５３（０時間３分５３秒）」であり、録画経過時間Ｔ２はまだ動画を開始していないために「０：００：００（０時間００分００秒）」となっている。
【００８４】
さらに、表示部２６の画面下端では、動画撮影をスタートさせるためにキー入力部２７のシャッタキーの操作を促すべく  
「スタート：シャッタキー」  
のようなガイドメッセージを表示している。この表示に従って１回目のシャッタキー操作を行なうことで、動画データの撮影が開始される。
【００８５】
図６は、動画データの撮影時に上述した如く連続して画像データを取得し、メモリカード２９へ記録する動作と平行して実施される、メモリカード２９の空き容量確保のための処理内容を示すもので、その動作制御はすべて撮影動作と同様に制御部２２が予め不揮発性メモリ２３に記憶されている動作プログラムを主記憶メモリに展開して実行する。
【００８６】
その処理当初に制御部２２は、記録媒体であるメモリカード２９の空き容量が少なくなったか否かを、空き容量が所定量、例えばその時点で設定されている動画撮影内容で３分間分以下となったか否かにより判断する（ステップＢ０１）。
【００８７】
ここでまだ空き容量が少なくなっていないと判断した場合には、次いで所定のキー、例えばメニューキーとカーソルキー及びセットキーの組合せ操作によりメモリカード２９に記録されているデータの削除モードに移行する指示がなされたかどうかを判断する（ステップＢ０２）。
【００８８】
削除モードへの移行指示がなされていないと判断した場合、再び上記ステップＢ０１からの処理に戻る。しかして、上記ステップＢ０１，Ｂ０２の処理を繰返し実行することで、メモリカード２９の空き容量が少なくなるか、またはデータの削除モードに移行する指示がなされるのを待機する。
【００８９】
上記ステップＢ０１でメモリカード２９の空き容量が少なくなったと判断すると、表示部２６にて例えば  
「メモリ残量が少なくなりました  
撮影時間を延長する為に保存データを削除して下さい  
削除するデータを選択しますか？  
削除するデータを選択する：セットキー」  
のようなガイドメッセージを表示することでデータの削除に促した上で（ステップＢ０３）、そのメッセージ通りにキー操作が実行されたか否かにより、削除モードが選択されたか否かを判断する（ステップＢ０４）。
【００９０】
ここで削除モードが選択されない場合には、再び上記ステップＢ０１からの処理に戻る。
【００９１】
一方で、上記ステップＢ０４において削除モードを選択するキー操作がなされたと判断した場合、あるいは上記ステップＢ０２において空き容量が少なくなっていないもののユーザにより直接データ削除モードに移行する指示がなされたと判断した場合には、次いで所定の表示設定で現在記録途中である動画データ中のすでに記録されている部分から削除する範囲を選択するために、削除候補となる部分の画像とそのデータを削除した場合に延長される動画モードでの撮影時間と共に表示する（ステップＢ０５）。
【００９２】
このとき表示部２６では、撮影中の動画を示すスルー画像の画面を表示部２６の画面の右上側に多少縮小して表示すると共に、空いた画面左上側で削除候補となる、現在撮影途中である動画データの先頭に位置するＧＯＰ（Ｇｒｏｕｐ  Ｏｆ  Ｐｉｃｔｕｒｅｓ）の先頭側に位置するＩ（Ｉｎｔｒａ：イントラ符号化）ピクチャの対応画像を表示し、その下側にのみ、削除範囲の開始位置の先端を促す矢印に代わる三角形「▽」を表示する。
【００９３】
併せて、表示部２６の画面下部では図示する如く  
「どの位置から削除しますか？」  
のようなガイドメッセージを表示することで、今回削除しようとしている範囲の開始位置の指示をユーザに促す。
【００９４】
このような表示状態から、表示形式を変更する指示がなされたか否か（ステップＢ０６）、その時点で選択して表示している画像の「コマ」位置（より詳細には、動画ファイルを構成する各ＧＯＰの先頭側に位置するＩピクチャ）を変更する指示がなされたか否か（ステップＢ０７）、削除範囲の開始位置の指示がなされたか否か（ステップＢ０８）、あるいは削除範囲の終了位置の指示がなされたか否か（ステップＢ０９）を順次判断し、いずれも該当しなければ再び上記ステップＢ０５からの処理に戻って、同様の処理を繰返し、いずれかの指示がなされるのを待機する。
【００９５】
上記ステップＢ０６で表示形式を変更する指示がなされたと判断した場合、直接上記ステップＢ０５に戻り、所定の表示設定に基づき、上述したような表示形式から、動画撮影を行なっているスルー画像中の一部に削除候補となるデータに対応した画像を嵌め込んで表示するような、所謂ピクチャ・イン・ピクチャの状態となるように表示形式を変更設定した上で、削除候補が選択指示されるのを待機する。
【００９６】
このように表示形式をユーザが任意に変更可能とすることで、ユーザの好みに合致したレイアウトで削除候補となるデータを表示させることができ、動画の撮影途中で不要なデータを削除する際の作業性を高めることができる。
【００９７】
また、上記ステップＢ０７で選択するコマ位置を変更する指示がなされたと判断した場合、直接上記ステップＢ０５に戻り、所定の表示設定に基づき、選択するコマ位置（より詳細には、各ＧＯＰ先頭側のＩピクチャ）をキー入力部２７のカーソルキー（「↑」キーまたは「↓」キー）操作に対応して変更（移動）するように設定した上で、新たなコマ位置が選択指示されるのを待機する。
【００９８】
また、上記ステップＢ０８で削除範囲の開始位置の指示、具体的にはキー入力部２７のセットキー操作がなされたと判断した場合には、直接上記ステップＢ０５に戻り、所定の表示設定に基づき、そのキー操作に従ってその時点で選択されている動画データ中のＧＯＰを削除範囲の先頭として設定した上で、削除範囲の終了位置が指示されるのを待機する。
【００９９】
以後、上記ステップＢ０７で選択するコマ位置を変更する指示がなされたと判断する毎に、選択するコマ位置（より詳細には、各ＧＯＰ先頭側のＩピクチャ）をキー入力部２７のカーソルキー（「↑」キーまたは「↓」キー）操作に対応して変更（移動）するように設定した上で、新たなコマ位置が選択指示されるのを待機する。
【０１００】
このとき表示部２６の下部では、
「どの位置まで削除しますか？」  
サイズ：１０ＭＢ  
撮影時間：＋５：１０」  
のようなガイドメッセージを表示することで、その時点で表示している画像が含まれるＧＯＰまでが削除された場合の削除範囲のサイズとその削除範囲を削除した場合に延長される撮影時間とをユーザに知らせる。
【０１０１】
そして、上記ステップＢ０９でその時点で表示されている削除範囲の終了位置を選択する指示がなされたと判断すると、次いで削除の確認として、例えば表示部２６にて  
「指示された範囲を削除しても良いですか？  
キャンセル：ＭＥＮＵ／削除：ＳＥＴ」  
のようなガイドメッセージを表示した上で（ステップＢ１０）、そのメッセージに対して削除を確認するべく該当キーが操作されたか否かを判断する（ステップＢ１１）。
【０１０２】
ここで、削除をキャンセルする旨のキー操作がなされた場合には、選択したデータの削除を保留して、再び上記ステップＢ０５からの処理に戻る。
【０１０３】
しかして、上記ステップＢ１１でデータの削除を確認するキー操作がなされたと判断すると、その時点で選択している削除範囲のデータをＧＯＰ単位で上記メモリカード２９から削除設定し、削除範囲を挟んで分割された、現在撮影途中の動画データを一つの同図データファイル（ＭＰＥＧ）ファイル）としてつなぎ合わせる設定を行なった上で（ステップＢ１２）、再び上記ステップＢ０１からの処理に戻る。
【０１０４】
図５は、こうして撮影途中の動画データ中から不要な範囲の削除を行なうことにより、動画データの撮影途中で撮影可能な時間が延長された場合の画面を例示するものである。
【０１０５】
ここでは、範囲指定した部分の削除を実行したことで「５分１０秒」分だけ動画撮影可能な時間が延長され、上記図３の状態から「１分０９秒」が経過した、録画経過時間Ｔ２が「００：０１：０９（０時間１分０９秒）」時点の画面を示すものである。
【０１０６】
このとき記録可能時間Ｔ１は「００：０７：５４（０時間７分５４秒）」（＝「３分５３秒」＋「５分１０秒」−「１分０９秒」）となっており、削除した動画データの範囲部分に対応した分だけ録画経過時間Ｔ２が延長されていることがわかる。
【０１０７】
このように、とりあえず動画の撮影を開始した後に、当該動画データ中の不要な部分については撮影途中であっても適宜範囲指定を行なって削除し、メモリカード２９の空き容量を確保することができる。
【０１０８】
したがって、容量に制限があるようなメモリカード２９を使用している場合でも躊躇なく動画の撮影を開始することができる。この場合、一般にパストムービー機能等と呼称されている、動画撮影モード時に撮影開始を指示する一定時間、例えば５秒前から自動で録画を開始するような機能と組み合わせて実行することで、ユーザに取って貴重な被写体の動きが「頭切れ」なく確実に撮影することができる。
【０１０９】
加えて、動画中の不要部分については動画撮影の途中でも簡易な操作で削除できるので、メモリカード２９の記録容量を効率的に活用して、動画データを含むより多数の各種データを記録させることができる。
【０１１０】
なお、上記動作例では、動画データの記録形式がＭＰＥＧに準拠するものであるとし、指示した範囲をＧＯＰ単位で削除するものとして説明したが、本発明はこれに限らず、例えば時間的に連続した複数の静止画（ＪＰＥＧ）（Ｊｏｉｎｔ  Ｐｈｏｔｏｇｒａｐｈ  ｃｏｄｉｎｇ  Ｅｘｐｅｒｔｓ  Ｇｒｏｕｐ）データからなるＡＶＩ（モーションＪＰＥＧ）ファイルであれば、実際の１コマ（静止画像１枚）単位で容易に指示された範囲を削除できる。
【０１１１】
また、より効率的に範囲の削除を行なう場合には、予め設定した時間幅、例えば３０秒間を単位として削除範囲の開始位置、及び終了位置をスキップして変更させ、その後に詳細な位置の指示を行なうような多段階の位置の指示を行なうものとしてもよいし、さらには、画像認識技術により画像中の情景が大幅に変わる位置を自動的にスキップするように設定することも考えられる。
【０１１２】
なお、上記実施の形態は、記憶された画像の中から削除候補を選択するように構成したが、このような構成ではなくともよく、メモリに記憶されているいかなる種類のデータを選択して削除可能に構成しても良い。
【０１１３】
最近はメモリカードの容量が大きくなっているので、撮影画像のみならず、表計算ソフトやワープロソフトで再生されたデータファイルを同一のメモリカードに記憶して持ち歩く人が増えているからである。
【０１１４】
この時、例えば上記図４でこの種のデータを選択した時は、画像データの代わりに当該ソフトのデータであることを示す画像を表示させても良いし、当該ソフトのデータをそのままドキュメントとして表示させても良い。
【０１１５】
また、図４においてはスルー画像と共に記録画像を一つずつ表示する構成としたが、このような構成ではなくともよく、記録画像を一覧表示してその中から画像を選択するように構成しても良いし、更にスルー画像と共に表示するようにしても良い。このように構成することで、さらに記録画像を選択しやすくすることができる。
【０１１６】
また、本発明で記載した削除とは、当然のごとくデータを直接削除することに限らず、当該データのフラグ情報のみを削除することで、当該データの記憶領域に上書き可能な状態とすることも含むものとする。
【０１１７】
また、上記実施の形態はデジタルカメラに適用した場合について説明したものであるが、本発明はこれに限らず、デジタルビデオムービーカメラ、カメラ機能を有する携帯電話端末やＰＤＡ（Ｐｅｒｓｏｎａｌ  Ｄｉｇｉｔａｌ  Ａｓｓｉｓｔａｎｔｓ：個人向け情報携帯端末）や携帯電子ゲーム端末など、各種の電子機器とその電子機器にインストールされ、当該機器の動作を制御する動作プログラム等に適用できる。
【０１１８】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【０１１９】
【図１】本発明の実施の一形態に係るデジタルカメラの電子回路の機能構成を示すブロック図。
【図２】同実施の形態に係る第１の動作例としての動画撮影時の記録媒体の空き容量確保の処理内容を示すフローチャート。
【図３】同実施の形態に係る動画撮影時のモニタ画面の内容を例示する図。
【図４】同実施の形態に係る動画撮影時のモニタ画面の内容を例示する図。
【図５】同実施の形態に係る動画撮影時のモニタ画面の内容を例示する図。
【図６】同実施の形態に係る第２の動作例としての動画撮影時の記録媒体の空き容量確保の処理内容を示すフローチャート。
【符号の説明】
【０１２０】
１０…デジタルカメラ、１１…モータ（Ｍ）、１２…撮影レンズ光学系、１３…ＣＣＤ、１４…タイミング発生器（ＴＧ）、１５…ＣＣＤドライバ、１６…ＡＧＣ／ＳＨ回路、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…不揮発性メモリ、２４…表示コントローラ、２５…ＶＲＡＭ、２６…表示部、２７…キー入力部、２８…画像処理部、２９…メモリカード、３０…音声処理部、３１…フラッシュ駆動部、３２…ＵＳＢインタフェース、３３…マイクロホン部、３４…スピーカ部、３５…フラッシュ発光部、３６…ＵＳＢ端子、ＭＣ…ムービーカメラマーク、Ｔ１…記録可能時間、Ｔ２…録画経過時間。
【図１】
2008228072.tif 000003
【図２】
2008228072.tif 000004
【図３】
2008228072.tif 000005
【図４】
2008228072.tif 000006
【図５】
2008228072.tif 000007
【図６】
2008228072.tif 000008